(57)【要約】【課題】デジタル放送の受信感度を表示できるようにし、その表示で細密な受信感度情報を提供する。【解決手段】デジタル放送受信機能を有する端末機において、受信信号のエラーを訂正可能なデコーダ（ＦＥＣデコーダ）前後のビットエラー率及びパケットエラー率を検出するエラー率検出部３１０を設け、その検出結果に従い受信感度を表示する。【選択図】図３
2006311538.tif 000002
【特許請求の範囲】
【請求項１】
受信信号のエラーを訂正可能なデコーダ前のビットエラー率を検出して受信感度を表示することを特徴とするデジタル放送受信機能を有する端末機の受信感度表示方法。
【請求項２】
前記デコーダは、ＦＥＣデコーダ（Forward Error Correction decoder）であることを特徴とする請求項１に記載のデジタル放送受信機能を有する端末機の受信感度表示方法。
【請求項３】
受信信号のパケットエラー率及びビットエラー率を検出する過程と、
該検出された各値を所定のしきい値と比較して受信感度を判断する過程と、
当該受信感度を使用者が認識できるように、表示部を通してディスプレイする過程と、
を含んで構成されることを特徴とするデジタル放送受信機能を有する端末機の受信感度表示方法。
【請求項４】
受信信号のデコード時に前記ビットエラー率を検出することを特徴とする請求項３に記載のデジタル放送受信機能を有する端末機の受信感度表示方法。
【請求項５】
前記ビットエラー率をデコーダの前後でそれぞれ検出することを特徴とする請求項４に記載のデジタル放送受信機能を有する端末機の受信感度表示方法。
【請求項６】
前記デコーダがＦＥＣデコーダ（Forward Error Correction decoder）であることを特徴とする請求項５に記載のデジタル放送受信機能を有する端末機の受信感度表示方法。
【請求項７】
前記ＦＥＣデコーダとしてビタビデコーダ（Viterbi decoder）が備えられていることを特徴とする請求項６に記載のデジタル放送受信機能を有する端末機の受信感度表示方法。
【請求項８】
前記ＦＥＣデコーダとしてターボデコーダ（Turbo decoder）が備えられていることを特徴とする請求項６に記載のデジタル放送受信機能を有する端末機の受信感度表示方法。
【請求項９】
前記受信感度判断過程は、
前記パケットエラー率と第１のしきい値とを比較する第１の段階と、
該第１の段階で感度良と判断した場合、前記ＦＥＣデコーダ後のビットエラー率と第２のしきい値とを比較する第２の段階と、
該第２の段階で感度良と判断した場合、第３のしきい値を変更しながら、該第３のしきい値と前記ＦＥＣデコーダ前のビットエラー率とを比較する第３の段階と、
を含むことを特徴とする請求項６に記載のデジタル放送受信機能を有する端末機の受信感度表示方法。
【請求項１０】
前記第３の段階は、前記第３のしきい値を段階的に減少して複数回行うことを特徴とする請求項９に記載のデジタル放送受信機能を有する端末機の受信感度表示方法。
【請求項１１】
前記パケットエラー率及びビットエラー率検出過程は、所定の周期で行われることを特徴とする請求項３に記載のデジタル放送受信機能を有する端末機の受信感度表示方法。
【請求項１２】
前記所定の周期が５００ｍｓ乃至１ｓに設定されることを特徴とする請求項１１に記載のデジタル放送受信機能を有する端末機の受信感度表示方法。
【請求項１３】
当該端末機が衛星デジタル放送受信機能を有していることを特徴とする請求項３〜１２のいずれか１項に記載のデジタル放送受信機能を有する端末機の受信感度表示方法。
【請求項１４】
当該端末機が衛星及び地上デジタル放送受信機能を有していることを特徴とする請求項３〜１２のいずれか１項に記載のデジタル放送受信機能を有する端末機の受信感度表示方法。
【請求項１５】
当該端末機が地上デジタル放送受信機能を有していることを特徴とする請求項３〜１２のいずれか１項に記載のデジタル放送受信機能を有する端末機の受信感度表示方法。
【請求項１６】
当該端末機が、デジタルマルチメディア放送（Digital Multimedia Broadcasting：ＤＭＢ）規格による受信方式を採用していることを特徴とする請求項１５に記載のデジタル放送受信機能を有する端末機の受信感度表示方法。
【請求項１７】
当該端末機が、メディアフロー（Media Flow）規格による受信方式を採用していることを特徴とする請求項１５に記載のデジタル放送受信機能を有する端末機の受信感度表示方法。
【請求項１８】
当該端末機が、ＤＶＢ−Ｈ規格による受信方式を採用していることを特徴とする請求項１５に記載のデジタル放送受信機能を有する端末機の受信感度表示方法。
【請求項１９】
受信信号のパケットエラー率及びビットエラー率を検出するためのエラー率検出部と、
前記エラー率検出部から提供された各値を所定のしきい値と比較して受信感度を判断し、該当の制御信号を出力する制御部と、
前記制御部の制御信号に従って、使用者が受信感度を認識できるようにディスプレイする表示部と、
を含んで構成されることを特徴とする放送受信感度表示機能付端末機。
【請求項２０】
前記エラー率検出部は、デコーダの前後で前記ビットエラー率を検出することを特徴とする請求項１９に記載の放送受信感度表示機能付端末機。
【請求項２１】
前記デコーダがＦＥＣデコーダ（Forward Error Correction decoder）であることを特徴とする請求項２０に記載の放送受信感度表示機能付端末機。
【請求項２２】
前記エラー率検出部は、
リードソロモンデコーダ（Reed Solomon decoder）を通して出力される信号からパケットエラー率を検出するための第１の検出部と、
前記ＦＥＣデコーダ前のビットエラー率を検出するための第２の検出部と、
前記ＦＥＣデコーダ後のビットエラー率を検出するための第３の検出部と、
を含んで構成されることを特徴とする請求項２１に記載の放送受信感度表示機能付端末機。
【請求項２３】
前記ＦＥＣデコーダがビタビデコーダ（Viterbi decoder）であることを特徴とする請求項２２に記載の放送受信感度表示機能付端末機。
【請求項２４】
前記ＦＥＣデコーダがターボデコーダ（Turbo decoder）であることを特徴とする請求項２２に記載の放送受信感度表示機能付端末機。
【請求項２５】
前記エラー検出部は、所定周期でパケットエラー率及びビットエラー率を検出することを特徴とする請求項１９に記載の放送受信感度表示機能付端末機。
【請求項２６】
前記所定周期が５００ｍｓ乃至１ｓであることを特徴とする請求項２５に記載の放送受信感度表示機能付端末機。
【請求項２７】
衛星デジタル放送受信機能を有することを特徴とする請求項１９〜２６のいずれか１項に記載の放送受信感度表示機能付端末機。
【請求項２８】
衛星及び地上デジタル放送受信機能を有することを特徴とする請求項１９〜２６のいずれか１項に記載の放送受信感度表示機能付端末機。
【請求項２９】
地上デジタル放送受信機能を有することを特徴とする請求項１９〜２６のいずれか１項に記載の放送受信感度表示機能付端末機。
【請求項３０】
メディアフロー規格によってデジタル放送を受信することを特徴とする請求項２９に記載の放送受信感度表示機能付端末機。
【請求項３１】
ＤＶＢ−Ｈ規格によってデジタル放送を受信することを特徴とする請求項２９に記載の放送受信感度表示機能付端末機。
【発明の詳細な説明】
【技術分野】
【０００１】
本発明は、デジタル放送受信機能を有する端末機に関するもので、特に、デジタル放送の受信感度表示機能に関する。
【背景技術】
【０００２】
移動通信（移動体通信）用端末機は、電波の受信感度を段階的に示すアンテナバーを表示可能に構成されており、現在の位置における受信レベルが表示されることで、使用者は、そのときの通話可否または通話品質を認識することができる。最近になって、デジタルマルチメディア放送を受信可能な端末機も増えているが、このようなデジタルマルチメディア放送受信用の各種端末機においても、基本的に、放送視聴中の受信感度を提供すべきである。
【発明の開示】
【発明が解決しようとする課題】
【０００３】
しかしながら、デジタル放送の受信品質に関する基準が未整備の状態であり、明確に放送の受信感度を表示できるようにした端末機は今のところ提案されていない。これに着目して本発明は、デジタル放送受信機能を有する端末機において放送の受信レベルを認識できるように、受信感度表示を可能にし、また特にその受信感度表示について、細密な受信感度情報を提供できるようにするものである。
【課題を解決するための手段】
【０００４】
上記目的を達成するため、本発明に係るデジタル放送受信機能を有する端末機の受信感度表示方法は、受信信号のエラーを訂正可能なデコーダ前のビットエラー率（Bit Error Rate：ＢＥＲ）を検出して受信感度を表示することを特徴とする。
【０００５】
本発明において、受信感度の表示は、一般的なスペックで要求されているＦＥＣ（Forward Error Correction）デコード後のビットエラー率及びパケットエラー率（Packet Error Rate：ＰＥＲ）のみならず、ＦＥＣデコード前のビットエラー率を用いて受信感度をより細密に表示することを特徴とする。
【０００６】
本発明に係るデジタル放送受信機能を有する端末機の受信感度表示方法の細部的な特徴は、エラー訂正可能なデコーダが、ビタビデコーダ（Viterbi decoder）、ターボデコーダ（Turbo decoder）などのＦＥＣデコーダを用いる点にある。本発明に係るデジタル放送受信機能を有する端末機の受信感度表示方法の他の細部的な特徴は、ビットエラー率の検出が、５００ｍｓ（ミリ秒）または１ｓ（秒）を周期にして行われる点にある。本発明に係るデジタル放送受信機能を有する端末機の受信感度表示方法の他の細部的な特徴は、デジタル放送受信機能を有する端末機が、衛星デジタル放送受信機能を有する端末機または地上デジタル放送受信機能を有する端末機である点にある。
【０００７】
本発明に係るデジタル放送受信機能を有する端末機の受信感度表示方法の他の特徴は、受信信号のパケットエラー率及びデコード前後のビットエラー率を検出する過程と、検出された各値を所定のしきい値と比較して受信感度を判断する過程と、当該受信感度を使用者が認識できるように、表示部を通してディスプレイする過程と、を含んで構成される点にある。
【０００８】
本発明に係るデジタル放送受信機能を有する端末機の受信感度表示方法の細部的な特徴は、受信感度判断過程が、検出されたパケットエラー率と第１のしきい値とを比較する第１の段階と、第１の段階で感度良と判断した場合、検出されたデコード後のビットエラー率と第２のしきい値とを比較する第２の段階と、第２の段階で感度良と判断した場合、第３のしきい値を変更しながら、該第３のしきい値とデコード前のビットエラー率とを比較する第３の段階と、を含む点にある。本発明に係るデジタル放送受信機能を有する端末機の受信感度表示方法の他の細部的な特徴は、第３のしきい値とデコード前のビットエラー率とを比較する第３の段階について、第３のしきい値を段階的に減少して（その段階ごとに）複数回行う点にある。
【０００９】
本発明に係るデジタル放送の受信感度表示機能付端末機は、パケットエラー率及びデコード前後のビットエラー率を検出するためのエラー率検出部と、該エラー率検出部から提供される各値を所定のしきい値と比較して受信感度を判断し、該当の制御信号を出力する制御部と、該制御部の制御信号に従って、使用者が受信感度を認識できるようにディスプレイする表示部と、を含んで構成されることを特徴とする。
【００１０】
本発明に係る受信感度表示機能付端末機の細部的な構成の特徴は、エラー率検出部が、リードソロモンデコーダ（Reed Solomon decoder）を通して出力される信号からパケットエラー率を検出するための第１の検出部と、デコード前のビットエラー率を検出するための第２の検出部と、デコード後のビットエラー率を検出するための第３の検出部と、を含んで構成される点にある。本発明に係る受信感度表示機能付端末機の他の細部的な構成の特徴は、第２及び第３の検出部がビタビデコーダまたはターボデコーダの前後でビットエラー率を検出する点にある。本発明に係る受信感度表示機能付端末機の他の細部的な構成の特徴は、エラー率検出部が、パケットエラー率及びビットエラー率を５００ｍｓまたは１ｓの周期で検出する点にある。本発明に係る受信感度表示機能付端末機の他の細部的な構成の特徴は、衛星デジタル放送受信機能または地上デジタル放送受信機能を有する点にある。
【発明の効果】
【００１１】
本発明に係るデジタル放送受信機能を有する端末機の受信感度表示は、ＦＥＣデコード前のビットエラー率値用いて細密な受信感度情報を提供できるという効果がある。
【発明を実施するための最良の形態】
【００１２】
本発明の他の目的、特徴及び利点は、図面に基づく各実施形態の詳細な説明によって明らかになるだろう。以下、図面に基づいて、本発明の実施形態の構成及びその作用を説明する。なお、図面に基づいて説明される本発明の構成及び作用は、少なくとも一つの実施形態として説明されるものであり、これによって本発明の技術的思想、その核心構成及び作用が制限されることはない。
【００１３】
以下、本発明の好適な実施形態について、添付の図面に基づいて詳細に説明する。
【００１４】
図１及び図２は、衛星デジタル放送受信機能を有する端末機と地上デジタル放送受信機能を有する端末機の要部を示した概略的なブロック図であり、両端末機において、受信感度に関与する５つのポイントが存在（Ａ〜Ｅ）することを示している。
【００１５】
以下、韓国式デジタル放送受信機能を有する端末機を代表例として、ビタビデコーダ（Viterbi decoder）を用いた実施形態を説明するが、前方エラー訂正（Forward Error Correction：ＦＥＣ）技術を適用した全てのデコーダに本発明を適用可能である。すなわち、クアルコムが提示するメディアフローではビタビデコーダの代りにターボデコーダを使用するが、本例同様に本発明を適用可能である。これと同様に、ヨーロッパ式であるＤＶＢ-Ｈにも本発明を適用可能である。また、デジタル放送受信機能を有する端末機は、衛星デジタル放送受信機能を有する端末機、地上デジタル放送受信機能を有する端末機、及び衛星／地上デジタル放送兼用の受信機能を有する端末機である。
【００１６】
図１及び図２に示すポイントＡ〜Ｅにつき説明しておく。
【００１７】
Ａ：ＲＦ（無線周波数）の大きさ（受信強度）を示す点。受信対象信号と、これに対する干渉信号及びノイズとの合計が示される。通常、瞬間的な受信感度または短い時間の受信感度が測定される。
【００１８】
Ｂ：ＳＮＲ（Signal-to-Noise Ratio）によって受信強度を求められる点。受信対象信号に対する干渉信号及びノイズの相対的大きさを知ることができる。一般に、瞬間的な受信感度または短い時間の受信感度が測定される。
【００１９】
Ｃ：ビタビデコード前のビットエラー率（Bit Error Rate：ＢＥＲ）を示す点。ビタビデコーディングを行う前の受信ビットの品質を知らせる点であり、所定時間の間の受信感度が測定される。
【００２０】
Ｄ：ビタビデコード後のＢＥＲを示す点。ランダムかつ間欠的に分布するエラーを訂正可能なビタビデコーダを経た後の受信ビットの品質を知らせる点であり、所定時間の間の受信感度が測定される。
【００２１】
Ｅ：リード−ソロモン（ＲＳ）デコード後のパケットエラー率（Packet Error Rate：ＰＥＲ）を示す点。リード−ソロモンデコーダ（Reed Solomon decoder）では、所定のパケット単位でデータを訂正し、当該パケット全体に１個でもエラーが存在するかどうかが示される。
【００２２】
これらポイントのうち、Ａ、Ｂは、受信電波の強さに関するもので、Ｃ、Ｄ、Ｅは、受信信号の品質に関するものである。また、Ｃ、Ｄ、Ｅにおけるエラー率の大小関係は、Ｃ（ビタビデコード前のＢＥＲ）＞Ｄ（ビタビデコード後のＢＥＲ）＞Ｅ（ＰＥＲ）である。
【００２３】
一方、デジタル放送受信機能を有する端末機におけるＢＥＲ及びＰＥＲの条件は、（１）ビタビデコード後のＢＥＲが２＊１０Ｅ−４、（２）ＰＥＲが０に規定される。
【００２４】
図３は、本発明に係る受信感度表示装置の構成を概略的に示したブロック図である。その構成を説明すると、パケットエラー率及びＦＥＣ（ビタビ）デコード前後のビットエラー率を検出するためのエラー率検出部３１０と、このエラー率検出部３１０から提供された各値を所定のしきい値と比較して受信感度を判断し、該当の制御信号を出力する制御部３２０と、この制御部３２０の制御信号に従って、使用者が受信感度を認識できるようにディスプレイする表示部３３０と、を含む。
【００２５】
エラー検出部３１０は、リードソロモンデコーダを通して出力される信号からパケットエラー率を検出するための第１検出部３１１と、ＦＥＣ（ビタビ）デコード前のビットエラー率を検出するための第２検出部３１２と、ＦＥＣ（ビタビ）デコード後のビットエラー率を検出するための第３検出部３１３と、を含んで構成される。
【００２６】
図４は、ビタビ（ＦＥＣ）デコード前後のＢＥＲ関係を示したグラフである。このグラフに示すように、ビタビデコード前とビタビデコード後とではビットエラー率に大きな差があることが分かる。すなわち、ビタビデコード前のビットエラー率が５＊１０Ｅ−２以下である場合は、エラー訂正によって、ビタビデコード後のビットエラー率がほぼ“０”に近くなることを確認できる。また、大きな相関関係を示す箇所での傾きを考察すると、ビタビデコード後のビットエラー率（BER after Viterbi）とビタビデコード前のビットエラー率（BER before Viterbi）との相関関係は、BER after Viterbi≒１００＊BER before Viterbiの関係を示すことを確認できる。
【００２７】
したがって、受信感度は、ビタビデコード後のビットエラー率値で判別するより、ビタビデコード前のビットエラー率値を用いて判別する方が、解析範囲が広くなって効果的である。実際のテスト回数（取得数値数）を増やせば、ビタビデコード後のビットエラー率を用いて受信感度を細密に分けることも可能となるが、テスト数を増やせばそれだけ時間がかかるので非効率的である。したがって、本実施形態では、端末機の受信感度の情報をビタビデコード前のビットエラー率を中心に細分化して表示する。
【００２８】
本実施形態においては、一般的なスペックで要求されるビタビデコード後のビットエラー率及びパケットエラー率のみならず、ビタビデコード前のビットエラー率を用いて、受信感度をより一層細密に表示する。
【００２９】
図５は、本発明に係る受信感度表示方法の進行過程を示したフローチャートである。この例では、受信レベルを７段階で表示する例を示している。
【００３０】
所定の周期、たとえば５００ｍｓ（ミリ秒）または１ｓ（秒）を周期にしてビタビデコード前後のビットエラー率ＢＥＲ及びリードソロモンデコーダから出力される信号におけるパケットエラー率ＰＥＲを獲得する（Ｓ３１）。これらエラー率に応じて受信レベル０〜６を表すことになるが、その０〜６のレベル数値は、低い数値ほど受信感度が悪く、高い数値ほど受信感度が優れていることを示す。
【００３１】
まず最初に、パケットエラー率が所定のしきい値Ｔｈ_ｃ以上の場合、実際のパケットが壊れていて視聴が困難な状況であることを示すので、受信レベルは“０”と決定され、受信感度が最も悪いことが表示される（Ｓ３２）。このとき、表示部に示される受信感度は、数値で定量化したり、棒グラフで表示するなど、多様に表示することができる。
【００３２】
パケットエラー率の判断結果が感度良であれば、デコード後のビットエラー率判断を行う。ビタビデコード後のビットエラー率がしきい値Ｔｈ_Ａ以上の場合、一般的なスペックまたは事業者が要求する受信品質の条件から逸脱することになるので、このときも、受信感度が非常に悪く、受信レベルは“１”に決定され、表示される（Ｓ３３）。
【００３３】
デコード後ビットエラー率の判断結果が感度良であれば、デコード前のビットエラー率判断を行う。この判断による受信レベル“２”以降は、ビタビデコード前のビットエラー率を用いて細分することになる。ここで順に比較するしきい値は、Ｔｈ_Ｂ１＞Ｔｈ_Ｂ２＞Ｔｈ_Ｂ３＞Ｔｈ_Ｂ４の関係であり、徐々にしきい値を減らしながら比較し（Ｓ３４〜Ｓ３７）、受信レベル２〜６を決定して表示する。
【００３４】
以上説明した内容を通して、本発明の技術思想から逸脱しない範囲で多様な変更及び修正が可能であることは、当業者にとって明らかである。したがって、本発明の技術的範囲は、明細書の詳細な説明に記載された内容に限定されるものではなく、特許請求の範囲によって定められるべきである。
【図面の簡単な説明】
【００３５】
【図１】衛星デジタル放送受信機能を有する端末機の受信段の構成及び受信感度測定可能ポイントを示したブロック図である。
【図２】地上デジタル放送受信機能を有する端末機の受信段の構成及び受信感度測定可能ポイントを示したブロック図である。
【図３】本発明に係る受信感度表示装置の構成を概略的に示したブロック図である。
【図４】ビタビデコーディング前後のＢＥＲ関係を示したグラフである。
【図５】本発明に係る受信感度表示方法の進行過程を示したフローチャートである。
【符号の説明】
【００３６】
３１０  エラー検出部
３２０  制御部
３３０  表示部
【図１】
2006311538.tif 000003
【図２】
2006311538.tif 000004
【図３】
2006311538.tif 000005
【図４】
2006311538.tif 000006
【図５】
2006311538.tif 000007